(57)【要約】【課題】固定受信機向けサービスと移動受信機向けサービスとを切り替えて受信する際に、消費電力を抑えつつ、シームレスな放送サービスの切替を行うこと。【解決手段】制御部１０８は、複数のセグメントを用いた第１の放送サービスから、前記複数のセグメントと異なる単数のセグメントを用いた第２の放送サービスへ切り替える場合、高画質コンテンツ処理部１０２および低画質コンテンツ処理部１０５における各復号処理の切替処理を、高画質コンテンツ処理部１０２および低画質コンテンツ処理部１０５における各復調手段の切替処理よりも先に行い、第２の放送サービスから第１の放送サービスへ切り替える場合、高画質コンテンツ処理部１０２および低画質コンテンツ処理部１０５における各復調処理での切替処理を、高画質コンテンツ処理部１０２および低画質コンテンツ処理部１０５における各復号処理の切替処理よりも先に行う。【選択図】図１
2011004064.tif 000002
【特許請求の範囲】
【請求項１】
複数のセグメントを用いた第１の放送サービス、および、前記複数のセグメントと異なる単数のセグメントを用いた第２の放送サービスを受信する放送受信装置であって、
前記第１の放送サービスに対する復調処理および復号処理を行う第１処理手段と、
前記第２の放送サービスに対する復調処理および復号処理を行う第２処理手段と、
前記第１の放送サービスおよび前記第２の放送サービスの切替を制御する制御手段と、を具備し、
前記制御手段は、
前記第１の放送サービスから前記第２の放送サービスへ切り替える場合、前記第１処理手段および前記第２処理手段における各復号処理の切替処理を、前記第１処理手段および前記第２処理手段における各復調手段の切替処理よりも先に行い、
前記第２の放送サービスから前記第１の放送サービスへ切り替える場合、前記第１処理手段および前記第２処理手段における各復調処理での切替処理を、前記第１処理手段および前記第２処理手段における各復号処理の切替処理よりも先に行う、
放送受信装置。
【請求項２】
前記第１の放送サービスは固定受信機向けサービスであり、前記第２の放送サービスは移動受信機向けサービスである、
請求項１記載の放送受信装置。
【請求項３】
前記第１の放送サービスは高画質コンテンツであり、前記第２の放送サービスは低画質コンテンツである、
請求項１記載の放送受信装置。
【請求項４】
前記制御手段は、自装置の通信環境に応じて、前記第１の放送サービスと、前記第２の放送サービスとを切り替える、
請求項１記載の放送受信装置。
【請求項５】
複数のセグメントを用いた第１の放送サービス、および、前記複数のセグメントと異なる単数のセグメントを用いた第２の放送サービスを受信する放送受信装置における放送切替制御方法であって、
前記第１の放送サービスに対する復調処理および復号処理を行う第１処理ステップと、
前記第２の放送サービスに対する復調処理および復号処理を行う第２処理ステップと、
前記第１の放送サービスおよび前記第２の放送サービスの切替を制御する制御ステップと、を有し、
前記制御ステップは、
前記第１の放送サービスから前記第２の放送サービスへ切り替える場合、前記第１処理ステップおよび前記第２処理ステップにおける各復号処理の切替処理を、前記第１処理ステップおよび前記第２処理ステップにおける各復調手段の切替処理よりも先に行い、
前記第２の放送サービスから前記第１の放送サービスへ切り替える場合、前記第１処理ステップおよび前記第２処理ステップにおける各復調処理での切替処理を、前記第１処理ステップおよび前記第２処理ステップにおける各復号処理の切替処理よりも先に行う、
放送切替制御方法。
【発明の詳細な説明】
【技術分野】
【０００１】
本発明は、テレビ放送を受信する放送受信装置および放送切替制御方法に関するものであり、特に携帯用機器に搭載される放送受信装置に関するものである。
【背景技術】
【０００２】
近年、放送のデジタル化が進み、一般の家庭で視聴するテレビ放送もデジタル放送へと置き換わりつつある。このデジタル放送は、地上波デジタル放送サービス（ＩＳＤＢ−Ｔ方式）と呼ばれている。
【０００３】
また、地上波デジタル放送サービスでは、固定受信機向けサービスの他に、地上デジタル放送の帯域の一部を使う、携帯電話端末または小型ポータブル受信機等の移動受信機向けの放送サービスも規定している。例えば、地上波デジタル放送サービスでは、移動受信機向けサービスとして、ワンセグと呼ばれる放送サービスが実施されている。例えば、地上波デジタル放送の周波数帯域を構成する１３セグメントのうち、１２セグメントを用いて固定受信機向けサービスが送信され、残りの１セグメントを用いてワンセグが放送される。
【０００４】
固定受信機向けサービスでは、家庭用テレビでの受信が想定されており、非常に高画質なハイビジョン番組等の放送が行われている。よって、固定受信機向けサービスは、画像サイズも大きく、フレームレートおよびビットレートも高い。このため、固定受信機向けサービスの番組を視聴するには、放送受信装置は、例えば、受信データをＭＰＥＧ−２等のビデオ符号化方式で復号する必要があるので非常に多くの処理量を必要とする。
【０００５】
一方、ワンセグでは移動受信機での受信を想定しており、固定受信機向けサービスと比較して、画像サイズおよびフレームレートが小さい。このため、ワンセグの番組を視聴するには、放送受信装置は、例えば、受信データをＨ．２６４等のビデオ符号化方式で復号するため、処理量は固定受信機向けサービスと比較して小さくなる。つまり、ワンセグでは、画質や音質を低く抑える代わりに、安定した受信品質を実現している。
【０００６】
また、ワンセグを受信できる移動受信機の普及は進んでいる。また、移動受信機に搭載されるデバイスの性能も飛躍的に向上しているため、将来的には移動受信機でありながら、固定受信機向けサービスの受信が可能な機器が出現すると考えられる。
【０００７】
そこで、移動受信機において固定受信機向けサービスおよびワンセグ（移動受信機向けサービス）の両方を受信可能としておき、これらを適応的に切替えて受信することが考えられる。ここで、固定受信機向けサービスおよびワンセグを受信する放送受信装置は、受信データ（固定受信機向けサービスの放送データおよびワンセグの放送データ）に対して復調処理を行うフロントエンド（ＦＥ：Front End）部（チューナー部）、および、復調後の受信データに対して復号処理を行うバックエンド（ＢＥ：Back End）部を含む構成を採る。
【０００８】
例えば、固定受信機向けサービスおよびワンセグを切り替える従来技術として、放送受信装置は、ＢＥ部において、固定受信機向けサービスの放送データおよびワンセグの放送データをそれぞれ復号し、固定受信機向けサービスとワンセグとを切り替えて表示する（特許文献１参照）。
【先行技術文献】
【特許文献】
【０００９】
【特許文献１】特開２００８−０１１２５４号公報
【発明の概要】
【発明が解決しようとする課題】
【００１０】
しかしながら、上記従来技術では、固定受信機向けサービスおよびワンセグのいずれか一方に切り替えて受信する場合でも、放送受信装置は、ＦＥ部において固定受信機向けサービスおよびワンセグの双方の復調処理を行う。例えば、地上波デジタル放送では、固定受信機向けサービス（１２セグメント）およびワンセグ（１セグメント）の双方の復調処理を行う。つまり、上記従来技術では、放送受信装置は、地上波デジタル放送のフルセグメント（１３セグメント）を常に受信（以下、フルセグ受信という）する。このため、ＦＥ部における消費電力は常に大きくなってしまう。特に、ワンセグの放送データを受信する場合には、ＦＥ部では、固定受信機向けサービスの放送データに対する復調処理の分だけ無駄な消費電力が発生してしまう。
【００１１】
そこで、放送受信装置では、消費電力を抑えるために、固定受信機向けサービスおよびワンセグの切替に応じて、ＢＥ部における各放送サービスの復号処理の切替だけではなく、ＦＥ部における各放送サービスの復調処理の切替を行うことが考えられる。
【００１２】
しかしながら、一方の放送サービスから他方の放送サービスへの切替に応じて、ＢＥ部の復号処理を切り替える際には、受信データを復号するまでに所定の時間を要する。そのため、放送受信装置では、放送サービスの切替に応じてＦＥ部の復調処理およびＢＥ部の復号処理の双方を切り替えた場合、ＦＥ部により切替後の放送サービスを復調したにもかかわらず、ＢＥ部において切替後の放送サービスの復号処理が完了していない場合があり得る。この場合、復号処理が完了するまでの一定の時間だけ、受信した映像データを表示できない状態であるブラックアウトが発生してしまう。
【００１３】
本発明は、かかる点に鑑みてなされたものであり、固定受信機向けサービスと移動受信機向けサービス（ワンセグ）とを切り替えて受信する際に、消費電力を抑えつつ、シームレスな放送サービスの切替を行うことができる放送受信装置を提供することを目的とする。
【課題を解決するための手段】
【００１４】
本発明の放送受信装置は、複数のセグメントを用いた第１の放送サービス、および、前記複数のセグメントと異なる単数のセグメントを用いた第２の放送サービスを受信する放送受信装置であって、前記第１の放送サービスに対する復調処理および復号処理を行う第１処理手段と、前記第２の放送サービスに対する復調処理および復号処理を行う第２処理手段と、前記第１の放送サービスおよび前記第２の放送サービスの切替を制御する制御手段と、を具備し、前記制御手段は、前記第１の放送サービスから前記第２の放送サービスへ切り替える場合、前記第１処理手段および前記第２処理手段における各復号処理の切替処理を、前記第１処理手段および前記第２処理手段における各復調手段の切替処理よりも先に行い、前記第２の放送サービスから前記第１の放送サービスへ切り替える場合、前記第１処理手段および前記第２処理手段における各復調処理での切替処理を、前記第１処理手段および前記第２処理手段における各復号処理の切替処理よりも先に行う構成を採る。
【００１５】
本発明の放送切替制御方法は、複数のセグメントを用いた第１の放送サービス、および、前記複数のセグメントと異なる単数のセグメントを用いた第２の放送サービスを受信する放送受信装置における放送切替制御方法であって、前記第１の放送サービスに対する復調処理および復号処理を行う第１処理ステップと、前記第２の放送サービスに対する復調処理および復号処理を行う第２処理ステップと、前記第１の放送サービスおよび前記第２の放送サービスの切替を制御する制御ステップと、を有し、前記制御ステップは、前記第１の放送サービスから前記第２の放送サービスへ切り替える場合、前記第１処理ステップおよび前記第２処理ステップにおける各復号処理の切替処理を、前記第１処理ステップおよび前記第２処理ステップにおける各復調手段の切替処理よりも先に行い、前記第２の放送サービスから前記第１の放送サービスへ切り替える場合、前記第１処理ステップおよび前記第２処理ステップにおける各復調処理での切替処理を、前記第１処理ステップおよび前記第２処理ステップにおける各復号処理の切替処理よりも先に行うようにした。
【発明の効果】
【００１６】
本発明によれば、固定受信機向けサービスと移動受信機向けサービス（ワンセグ）とを切り替えて受信する際に、消費電力を抑えつつ、シームレスな放送サービスの切替を行うことができる。
【図面の簡単な説明】
【００１７】
【図１】本発明の実施の形態１に係る放送受信装置の構成を示すブロック図
【図２】本発明の実施の形態１に係る放送切替制御処理のタイムチャートを示す図
【図３】本発明の実施の形態１に係る放送切替制御処理のタイムチャートを示す図
【図４】本発明の実施の形態２に係る放送受信装置の構成を示すブロック図
【発明を実施するための形態】
【００１８】
以下、本発明の実施の形態について、添付図面を参照して詳細に説明する。以下の説明では、放送サービスの一例として、地上波デジタル放送サービス（ＩＳＤＢ−Ｔ）について説明する。具体的には、地上はデジタル放送のすべての周波数帯域である１３セグメント（フルセグメント）のうち、１２セグメントが固定受信機向けサービスに用いられ、残りの１セグメントが移動受信機向けサービス、つまり、ワンセグに用いられる。換言すると、複数のセグメント（１２セグメント）を用いる放送サービスを固定受信機向けサービスとし、固定受信機向けサービスに用いる複数のセグメントとは異なる単数のセグメント（１セグメント）を用いる放送サービスを移動受信機向けサービス（ワンセグ）とする。また、複数のセグメント（１２セグメント）を用いる固定受信機向けサービスは高画質コンテンツであり、単数のセグメント（１セグメント）を用いるワンセグは低画質コンテンツである。
【００１９】
（実施の形態１）
本実施の形態に係る放送受信装置１００の構成を図１に示す。この放送受信装置１００は例えば移動受信機に搭載される。また、放送受信装置１００が受信する放送波には高画質コンテンツである固定受信機向けサービス（１２セグメント）の放送データと、低画質コンテンツであるワンセグ（１セグメント）の放送データとが含まれている。
【００２０】
放送受信装置１００において、高画質コンテンツ処理部１０２は、ＦＥ部１０３およびＢＥ部１０４により構成され、高画質コンテンツである固定受信機向けサービスに対する復調処理および復号処理を行う。具体的には、ＦＥ部１０３は、アンテナ１０１を介して放送波を受信し、受信した放送波のうち固定受信機向けサービスの放送データに対して６４ＱＡＭ等の復調処理を行う。ＢＥ部１０４は、ＦＥ部１０３から入力される復調後の放送データに対してＭＰＥＧ−２等の復号処理を行い、音声と同期する処理を行った後で得られる映像データを表示部１０９に出力する。
【００２１】
低画質コンテンツ処理部１０５は、ＦＥ部１０６およびＢＥ部１０７により構成され、低画質コンテンツであるワンセグに対する復調処理および復号処理を行う。具体的には、ＦＥ部１０６は、アンテナ１０１を介して放送波を受信し、受信した放送波のうちワンセグの放送データに対してＱＰＳＫ等の復調処理を行う。ＢＥ部１０７は、ＦＥ部１０６から入力される復調後の放送データに対してＨ．２６４等の復号処理を行い、音声と同期する処理を行った後で得られる映像データを表示部１０９に出力する。
【００２２】
ここで、放送受信装置１００は、固定受信機向けサービス（１２セグメント）を受信する場合には、固定受信機向けサービスの放送データおよびワンセグの放送データの双方に対して復調処理を行う。つまり、ＦＥ部１０３およびＦＥ部１０６が復調処理をそれぞれ行う。すなわち、固定受信機向けサービス（１２セグメント）の受信時には、放送受信装置１００は、フルセグ（１３セグメント）受信する。一方、放送受信装置１００は、ワンセグ（１セグメント）を受信する場合には、ワンセグの放送データに対する復調処理のみを行う。つまり、ＦＥ部１０６のみが復調処理を行う。これに対して、放送受信装置１００は、固定受信機向けサービス（１２セグメント）を受信する場合には、固定受信機向けサービスの放送データに対する復号処理（例えば、ＭＰＥＧ−２）のみを行い、ワンセグ（１セグメント）を受信する場合には、ワンセグの放送データに対する復号処理（例えば、Ｈ．２６４）のみを行う。
【００２３】
制御部１０８は、固定受信機向けサービスおよびワンセグの切替を制御する。つまり、制御部１０８は、高画質コンテンツ処理部１０２および低画質コンテンツ処理部１０５の各部の電源のＯＮ／ＯＦＦを制御する。
【００２４】
まず、固定受信機向けサービスからワンセグへ切り替える場合について説明する。固定受信機向けサービスを受信している場合、高画質コンテンツ処理部１０２のＦＥ部１０３およびＢＥ部１０４、および、低画質コンテンツ処理部１０５のＦＥ部１０６が起動している。固定受信機向けサービスからワンセグへ切り替える場合、制御部１０８は、まず、低画質コンテンツ処理部１０５のＢＥ部１０７を起動させる。そして、制御部１０８は、低画質コンテンツ処理部１０５のＢＥ部１０７によるワンセグの放送データの復号処理が完了すると、高画質コンテンツ処理部１０２のＢＥ部１０４を停止させるとともに、高画質コンテンツ処理部１０２のＦＥ部１０３を停止させる。また、制御部１０８は、低画質コンテンツ処理部１０５のＢＥ部１０７によるワンセグの放送データの復号処理が完了すると、低画質コンテンツ処理部１０５のＢＥ部１０７に対してワンセグの放送データを表示部１０９に出力させる。つまり、固定受信機向けサービスからワンセグへ切り替える場合、制御部１０８は、高画質コンテンツ処理部１０２および低画質コンテンツ処理部１０５における各復号処理（ＢＥ部１０４およびＢＥ部１０７）の切替処理を、高画質コンテンツ処理部１０２および低画質コンテンツ処理部１０５における各復調処理（ＦＥ部１０３およびＦＥ部１０６）の切替処理よりも先に行う。
【００２５】
次いで、ワンセグから固定受信機向けサービスへ切り替える場合について説明する。ワンセグを受信している場合、低画質コンテンツ処理部１０５のＦＥ部１０６およびＢＥ部１０７が起動している。ワンセグから固定受信機向けサービスへ切り替える場合、制御部１０８は、まず、高画質コンテンツ処理部１０２のＦＥ部１０３を起動させる。そして、制御部１０８は、高画質コンテンツ処理部１０２のＦＥ部１０３による固定受信機向けサービスの放送データの復調処理が完了すると、高画質コンテンツ処理部１０２のＢＥ部１０４を起動させる。そして、制御部１０８は、高画質コンテンツ処理部１０２のＢＥ部１０４による固定受信機向けサービスの放送データの復号処理が完了すると、低画質コンテンツ処理部１０５のＢＥ部１０７を停止させる。また、制御部１０８は、高画質コンテンツ処理部１０２のＢＥ部１０４による固定受信機向けサービスの放送データの復号処理が完了すると、高画質コンテンツ処理部１０２のＢＥ部１０４に対して固定受信機向けサービスの放送データを表示部１０９に出力させる。つまり、ワンセグから固定受信機向けサービスへ切り替える場合、制御部１０８は、高画質コンテンツ処理部１０２および低画質コンテンツ処理部１０５における各復調処理（ＦＥ部１０３およびＦＥ部１０６）の切替処理を、高画質コンテンツ処理部１０２および低画質コンテンツ処理部１０５における各復号処理（ＢＥ部１０４およびＢＥ部１０７）の切替処理よりも先に行う。
【００２６】
なお、制御部１０８は、自装置の通信環境（例えば、受信品質）に応じて、固定受信機向けサービスと、ワンセグとを切り替えてもよい。具体的には、制御部１０８は、自装置における受信品質（例えば、ＳＮＲ）が予め設定された閾値未満の場合（受信品質が劣悪な場合）、受信する放送サービスをワンセグに切り替え、自装置における受信品質が予め設定された閾値以上の場合（受信品質が良好な場合）、受信する放送サービスを固定受信機向けサービスに切り替える。または、制御部１０８は、例えば、ユーザの操作に応じて、固定受信機向けサービスとワンセグとを切り替えてもよい。
【００２７】
表示部１０９はディスプレイ等で構成され、高画質コンテンツ処理部１０２のＢＥ部１０４から入力される映像データ、または、低画質コンテンツ処理部１０５のＢＥ部１０７から入力される映像データを表示する。
【００２８】
次に、本実施の形態に係る放送受信装置１００の制御部１０８における固定受信機向けサービスおよびワンセグの放送切替制御処理の詳細について説明する。
【００２９】
まず、制御部１０８が固定受信機向けサービスからワンセグへ切り替える場合について説明する。図２は、制御部１０８が固定受信機向けサービスからワンセグへ切り替える場合のタイムチャートを示す図である。
【００３０】
図２に示すように、固定受信機向けサービス受信中には、放送受信装置１００は、固定受信機向けサービス（１２セグメント）に対応する高画質コンテンツ処理部１０２のＦＥ部１０３およびＢＥ部１０４、および、ワンセグ（１セグメント）に対応する低画質コンテンツ処理部１０５のＦＥ部１０６を起動させている。つまり、放送受信装置１００は、ＦＥ部１０３およびＦＥ部１０６を起動させることでフルセグ（１３セグメント）受信している。また、表示部１０９は、固定受信機向けサービスの映像データ（高画質コンテンツ）を表示している。
【００３１】
まず、制御部１０８は、図２に示す時刻ｔ１において、ワンセグに対応する低画質コンテンツ処理部１０５のＢＥ部１０７を起動させる。つまり、制御部１０８は、ＢＥ部１０４による固定受信機向けサービスに対応する復号処理から、ＢＥ部１０７によるワンセグに対応する復号処理への切替処理を開始する。これにより、ＢＥ部１０７は、ＦＥ部１０６で復調処理が行われたワンセグの放送データの復号処理を開始する。ここで、図２に示すように、ＢＥ部１０７における、ワンセグの放送データの復号処理は、時刻ｔ１〜時刻ｔ２の数フレームで完了する。
【００３２】
ここで、図２に示すように、ＢＥ部１０７によるワンセグの放送データの復号処理が完了するまでの間（時刻ｔ１〜時刻ｔ２）、高画質コンテンツ処理部１０２のＦＥ部１０３は、固定受信機向けサービスの放送データを引き続き復調し、高画質コンテンツ処理部１０２のＢＥ部１０４は固定受信機向けサービスの放送データを引き続き復号する。つまり、図２に示すように、表示部１０９は、時刻ｔ１〜時刻ｔ２の間も固定受信機向けサービスの映像データを継続して表示する。
【００３３】
そして、図２に示す時刻ｔ２において、ＢＥ部１０７でワンセグの放送データの復号処理が完了した場合、制御部１０８は、ＦＥ部１０３を停止させる。つまり、制御部１０８は、ＦＥ部１０３およびＦＥ部１０６による固定受信機向けサービスに対応する復調処理（フルセグ受信）から、ＦＥ部１０６のみによるワンセグに対応する復調処理（ワンセグ受信）への切替処理を行う。また、図２に示すように、制御部１０８は、ＢＥ部１０４を停止させる。これにより、制御部１０８は、ＢＥ部１０４による固定受信機向けサービスに対応する復号処理から、ＢＥ部１０７によるワンセグに対応する復号処理への切替処理を完了する。
【００３４】
これにより、放送受信装置１００では、図２に示す時刻ｔ２において、放送サービスが固定受信機向けサービス（高画質コンテンツ）からワンセグ（低画質コンテンツ）へ切り替わる。つまり、図２に示すように、表示部１０９は、時刻ｔ２以降ワンセグの映像データを表示する。
【００３５】
このように、制御部１０８は、固定受信機向けサービス（高画質コンテンツ）からワンセグ（低画質コンテンツ）へ切り替える場合には、固定受信機向けサービスおよびワンセグにおける各復号処理（図１に示すＢＥ部１０４およびＢＥ部１０７）の切替処理（図２では時刻ｔ１から開始）を、固定受信機向けサービスおよびワンセグにおける各復調処理（図１に示すＦＥ部１０３およびＦＥ部１０６）の切替処理（図２では時刻ｔ２に実施）よりも先に行う。
【００３６】
これにより、放送受信装置１００は、ワンセグの放送データの復号処理が完了していない場合（図２に示す時刻ｔ１〜時刻ｔ２）でも、固定受信機向けサービスの放送データを継続して表示部１０９に表示することができる。また、放送受信装置１００は、ワンセグの放送データの復号処理が完了次第（図２に示す時刻ｔ２）、ワンセグの放送データを表示部１０９に表示することができる。つまり、放送受信装置１００は、固定受信機向けサービスからワンセグへの切替をスムーズに行うことが可能となる。よって、固定受信機向けサービスからワンセグへの切替時には、ブラックアウトの画面表示は発生せず、シームレスな放送サービスの切替を行うことができる。
【００３７】
また、放送受信装置１００は、ワンセグ受信中（図２に示す時刻ｔ２以降）には、図２に示すように、固定受信機向けサービスに対応する高画質コンテンツ処理部１０２のＦＥ部１０３およびＢＥ部１０４を停止させるため、無駄な消費電力の発生を防ぐことができる。
【００３８】
次に、制御部１０８がワンセグから固定受信機向けサービスへ切り替える場合について説明する。図３は、制御部１０８がワンセグから固定受信機向けサービスへ切り替える場合のタイムチャートを示す図である。
【００３９】
図３に示すように、ワンセグ受信中には、放送受信装置１００は、ワンセグ（１セグメント）に対応する低画質コンテンツ処理部１０５のＦＥ部１０６およびＢＥ部１０７を起動させている。また、表示部１０９は、ワンセグの映像データ（低画質コンテンツ）を表示している。
【００４０】
まず、制御部１０８は、図３に示す時刻ｔ３において、固定受信機向けサービスに対応する高画質コンテンツ処理部１０２のＦＥ部１０３を起動させる。つまり、制御部１０８は、ＦＥ部１０６のみによるワンセグに対応する復調処理（ワンセグ受信）から、ＦＥ部１０３およびＦＥ部１０６による固定受信機向けサービスに対応する復調処理（フルセグ受信）への切替処理を行う。これにより、ＦＥ部１０３は、固定受信機向けサービスの放送データ（１２セグメント）の復調処理を開始する。すなわち、放送受信装置１００は、フルセグ（１３セグメント）受信を図３に示す時刻ｔ３から開始する。ここで、図３に示すように、ＦＥ部１０３における、固定受信機向けサービスの放送データの復調処理は、時刻ｔ３〜時刻ｔ４の数フレームで完了する。つまり、制御部１０８は、時刻ｔ４において、ワンセグに対応する復調処理（ワンセグ受信）から固定受信機向けサービスに対応する復調処理（フルセグ受信）への切替処理を完了する。
【００４１】
また、図３に示すように、制御部１０８は、ＦＥ部１０３による固定受信機向けサービスの放送データの復調処理が完了すると（つまり、図３に示す時刻ｔ４において）、固定受信機向けサービスに対応する高画質コンテンツ処理部１０２のＢＥ部１０４を起動させる。つまり、制御部１０８は、ＢＥ部１０７によるワンセグに対応する復号処理から、ＢＥ部１０４による固定受信機向けサービスに対応する復号処理への切替処理を開始する。ここで、図３に示すように、ＢＥ部１０４における、固定受信機向けサービスの放送データの復号処理は、時刻ｔ４〜時刻ｔ５の数フレームで完了する。
【００４２】
ここで、図２と同様、図３に示すように、ＢＥ部１０４による固定受信機向けサービスの放送データの復号処理が完了するまでの間（図３に示す時刻ｔ４〜時刻ｔ５）、低画質コンテンツ処理部１０５のＢＥ部１０７は、ワンセグの放送データを引き続き復号する。つまり、図３に示すように、表示部１０９は、時刻ｔ４〜時刻ｔ５の間もワンセグの映像データを継続して表示する。
【００４３】
そして、図３に示す時刻ｔ５において、ＢＥ部１０４で固定受信機向けサービスの放送データの復号処理が完了した場合、制御部１０８は、ＢＥ部１０７を停止させる。これにより、制御部１０８は、ＢＥ部１０７によるワンセグに対応する復号処理から、ＢＥ部１０４による固定受信機向けサービスに対応する復号処理への切替処理を完了する。
【００４４】
これにより、放送受信装置１００では、図３に示す時刻ｔ５において、放送サービスがワンセグ（低画質コンテンツ）から固定受信機向けサービス（高画質コンテンツ）へ切り替わる。つまり、図３に示すように、表示部１０９は、時刻ｔ５以降固定受信機向けサービスの映像データを表示する。
【００４５】
このように、制御部１０８は、ワンセグ（低画質コンテンツ）から固定受信機向けサービス（高画質コンテンツ）へ切り替える場合には、固定受信機向けサービスおよびワンセグにおける各復調処理（図１に示すＦＥ部１０３およびＦＥ部１０６）の切替処理（図３では時刻ｔ３から開始）を、固定受信機向けサービスおよびワンセグにおける各復号処理（図１に示すＢＥ部１０４およびＢＥ部１０７）の切替処理（図３では時刻ｔ４から開始）よりも先に行う。
【００４６】
これにより、放送受信装置１００は、固定受信機向けサービスの放送データの復号処理が完了していない場合（図３に示す時刻ｔ４〜時刻ｔ５）でも、ワンセグの放送データを継続して表示部１０９に表示することができる。また、放送受信装置１００は、固定受信機向けサービスの放送データの復号処理が完了次第（図３に示す時刻ｔ５）、固定受信機向けサービスの放送データを表示部１０９に表示することができる。つまり、放送受信装置１００は、ワンセグから固定受信機向けサービスへの切替をスムーズに行うことが可能となる。よって、ワンセグから固定受信機向けサービスへの切替時には、ブラックアウトの画面表示は発生せず、シームレスな放送サービスの切替を行うことができる。
【００４７】
このようにして、放送受信装置１００は、固定受信機向けサービスからワンセグへの切替時（図２）と、ワンセグから固定受信機向けサービスへの切替時（図３）とで、固定受信機向けサービスおよびワンセグの各ＦＥ部による復調処理および各ＢＥ部による復号処理の切替順序を異ならせる。
【００４８】
すなわち、固定受信機向けサービスからワンセグへの切替時には、復調処理の切替は、固定受信機向けサービス（１２セグメント）に対応するＦＥ部１０３を停止するだけで済む。これに対し、復号処理の切替は、ワンセグの放送データの復号処理が完了するまでの時間（例えば、図２に示す時刻ｔ１〜時刻ｔ２）を考慮する必要がある。よって、放送受信装置１００は、固定受信機向けサービスからワンセグへの切替時には、固定受信機向けサービスおよびワンセグにおける各復号処理の切替処理を、固定受信機向けサービスおよびワンセグにおける各復調処理の切替処理よりも先に行うことで、シームレスな放送サービスの切替を行うことができる。
【００４９】
一方、ワンセグから固定受信機向けサービスへの切替時には、固定受信機向けサービスからワンセグへの切替時と同様、復号処理の切替として、固定受信機向けのサービスの復号処理が完了するまでの時間（例えば、図３に示す時刻ｔ４〜時刻ｔ５）を考慮する必要がある。しかし、固定受信機向けサービスからワンセグへの切替時には、固定受信機向けサービス（１２セグメント）に対応するＦＥ部１０３を起動させないと、固定受信機向けサービスの放送データが得られないため、放送受信装置１００は、固定受信機向けサービスに対する復号処理を行うことができない。さらに、固定受信機向けサービス（１２セグメント）に対応するＦＥ部１０３の起動時には、ＦＥ部１０３による固定受信機向けサービスの復調処理が完了するまでの時間（例えば、図３に示す時刻ｔ３〜時刻ｔ４）も考慮する必要がある。よって、放送受信装置１００は、ワンセグから固定受信機向けサービスへの切替時には、固定受信機向けサービスおよびワンセグにおける各復調処理の切替処理を、固定受信機向けサービスおよびワンセグにおける各復号処理の切替処理よりも先に行う。
【００５０】
これにより、本実施の形態によれば、放送受信装置は、複数のセグメントを用いる固定受信機向けサービスおよび単数のセグメントを用いるワンセグを相互に切り替える場合でも、ブラックアウトが発生することを防ぐことができる。また、放送受信装置は、ワンセグの受信中は固定受信機向けサービスに対応するＦＥ部の動作を停止させるため、放送受信装置を備える移動受信機の電力消費量を抑えることができる。よって、本実施の形態によれば、固定受信機向けサービスと移動受信機向けサービス（ワンセグ）とを切り替えて受信する際に、消費電力を抑えつつ、シームレスな放送サービスの切替を行うことができる。
【００５１】
（実施の形態２）
例えば、放送送信局は、固定受信機向けサービスの放送データ（高画質コンテンツ）に対して、さらに符号化処理（例えば、Ｈ．２６４）を行うことで、ワンセグの放送データ（低画質コンテンツ）を生成する。よって、放送送信局では、固定受信機向けサービスの放送データの送信タイミングに対して、ワンセグの放送データの送信タイミングは、符号化処理に要する時間等の分だけ遅くなる。例えば、ワンセグの放送データの送信タイミングは、固定受信機向けサービスの放送データの送信タイミングに対して約１秒遅れている。
【００５２】
つまり、放送受信装置では、固定受信機向けサービスからワンセグへの切替時には、約１秒だけコンテンツの抜けが生じ、ワンセグから固定受信機向けサービスへの切替時には、約１秒だけコンテンツの重複が生じる。
【００５３】
そこで、本実施の形態では、放送受信装置は、固定受信機向けサービスの放送データ（高画質コンテンツ）の表示を遅延させる。
【００５４】
本実施の形態に係る放送受信装置２００の構成を図４に示す。なお、図４において実施の形態１（図１）と同一の構成部には同一符号を付し説明を省略する。
【００５５】
放送受信装置２００において、遅延部２０１は、高画質コンテンツ処理部１０２のＢＥ部１０４から入力される映像データを遅延させて表示部１０９に出力する。具体的には、遅延部２０１は、例えばメモリであり、高画質コンテンツ処理部１０２のＢＥ部１０４から入力される映像データを、予め設定された時間だけ格納した後に表示部１０９に出力する。例えば、遅延部２０１は、固定受信機向けサービスの放送データ（高画質コンテンツ）を、放送送信局におけるワンセグに対する符号化処理に要する時間（約１秒）だけ格納し、約１秒遅延させた映像データを表示部１０９に出力する。
【００５６】
これにより、本実施の形態では、放送受信装置は、固定受信機向けサービスおよびワンセグの切替時において、実施の形態１と同様、消費電力を抑えつつ、シームレスな放送サービスの切替を行うことができ、さらに、放送サービスの切替時におけるコンテンツの抜けまたは重複が生じることを防ぐことができる。
【００５７】
以上、本発明の各実施の形態について説明した。
【００５８】
なお、本発明において、高画質コンテンツは固定受信機向けサービス（地上波デジタル放送）に限られず、また、低画質コンテンツはワンセグに限られない。例えば、高画質コンテンツとして、所望ＳＮＲが高い放送データ（弱階層の放送データ）があり、低画質コンテンツとして、所望ＳＮＲが低い放送データ（強階層の放送データ）がある。また、上記実施の形態では、固定受信機向けサービス（高画質コンテンツ）および移動受信機向けサービスであるワンセグ（低画質コンテンツ）の２つのコンテンツを用いる場合について説明した。しかし、本発明では、例えば、所望ＳＮＲが低い放送データ（強階層の放送データ）から所望ＳＮＲが高い放送データ（弱階層の放送データ）までに階層分けされた複数の放送サービスに対しても、本発明を適用することができる。
【００５９】
また、上記本実施の形態では、固定受信機向けサービスの放送データおよびワンセグの放送データにそれぞれ対応するＦＥ部を別々の構成部（図１および図４に示すＦＥ部１０３およびＦＥ部１０６）として備える場合について説明した。しかし、本発明では、１つのＦＥ部が固定受信機向けサービスの放送データおよびワンセグの放送データの双方の復調処理（つまり、ＦＥ部１０３およびＦＥ部１０６の双方の処理）を行ってもよい。この場合、図１および図４に示す制御部１０８は、ＦＥ部１０３およびＦＥ部１０６に対する切替処理の制御と同様にして、１つのＦＥ部に対して、固定受信機向けサービスの放送データおよびワンセグの放送データの双方の復調処理の切替を指示する。
【００６０】
また、上記実施の形態では、複数のセグメントを用いた放送サービスを、１２セグメントを用いた放送サービスである固定受信機向けサービスとして説明した。しかし、本発明では、複数のセグメントを用いた放送サービスにおけるセグメント数は、１２セグメントに限らない。
【００６１】
また、本発明において、複数のセグメントを用いた放送サービス（高画質コンテンツ）の符号化方式はＭＰＥＧ−２に限られず、単数のセグメントを用いた放送サービス（低画質コンテンツ）の符号化方式はＨ．２６４に限られない。また、複数のセグメントを用いた放送サービス（高画質コンテンツ）の変調方式は６４ＱＡＭに限られず、単数のセグメントを用いた放送サービス（低画質コンテンツ）の変調方式はＱＰＳＫに限られない。
【産業上の利用可能性】
【００６２】
本発明の放送受信装置および放送切替制御方法は、携帯電話端末やポータブルのＴＶ受信装置等の携帯用機器に有用である。
【符号の説明】
【００６３】
１００，２００  放送受信装置
１０１  アンテナ
１０２  高画質コンテンツ処理部
１０３，１０６  ＦＥ部
１０４，１０７  ＢＥ部
１０５  低画質コンテンツ処理部
１０８  制御部
１０９  表示部
２０１  遅延部
【図１】
2011004064.tif 000003
【図２】
2011004064.tif 000004
【図３】
2011004064.tif 000005
【図４】
2011004064.tif 000006